(57)【特許請求の範囲】
【請求項１】
保護材により両面が保護された平面状のＨＥＰＡフィルターを備えた、無菌動物飼育装置用のフィルターを備えた、無菌動物飼育装置。
【請求項２】
円筒状の保護フレームにより保護された円柱状ＨＥＰＡフィルターを備えた、無菌動物飼育装置用のフィルターを備えた、無菌動物飼育装置。
【請求項３】
保護材で保護されたＨＥＰＡフィルターを備えた、無菌動物飼育装置用の滅菌缶。
【請求項４】
上下面の少なくとも一方が、透明なポリカーボネート製であり、側面に保護材で保護されたＨＥＰＡフィルターを備えた、無菌動物飼育装置用の輸送缶。
【請求項５】
請求項１または２に記載の装置、並びに、請求項３に記載の滅菌缶及び／又は請求項４に記載の輸送缶を備えた、無菌動物飼育システム。
【請求項６】
請求項１若しくは２に記載の装置、請求項３に記載の滅菌缶、請求項４に記載の輸送缶、又は請求項５に記載のシステムを用いた、無菌動物飼育方法。
【発明の詳細な説明】
【技術分野】
【０００１】
本発明は、無菌動物飼育装置用のフィルター、滅菌缶及び輸送缶に関する。
【背景技術】
【０００２】
従来より、無菌動物等を飼育する目的で無菌動物飼育装置が利用されている。無菌動物飼育装置は、アイソレータ、ビニールアイソレータなどとも呼ばれる。
【０００３】
ビニールアイソレータは、通常、給気口、飼育室、及び排気口を備える。給気口より供給される空気は無菌である必要があり、そのために一般的にはフィルターが用いられる。フィルタは外気中の微生物やウイルス等を除去し無菌性を実現するためのものである。また、無菌動物飼育装置は、その内容物を出し入れするために滅菌缶とともに使用されている。滅菌缶は、滅菌状態を維持しつつ、その内容物を無菌動物飼育装置に入れたり、当該装置の内容物を滅菌缶に移したりすることができるように、当該装置に取り付けることができるものである。さらに、無菌動物飼育装置は、無菌動物を輸送し、装置に出し入れするために輸送缶とともに使用されている。輸送缶はやはり、無菌状態を維持しつつ、無菌動物を当該装置に移したり、当該装置から取り出すことができるように、当該装置に取り付けることができるものである。
【０００４】
無菌動物飼育装置用のフィルターの濾材としては、当業界では濾材ＦＧ−５０（アメリカンエアーフィルター社製）が伝統的に用いられてきた。これはビニールアイソレータ技術が米国から導入されて以来、昭和３０年代から一貫して用いられているものである。滅菌缶や輸送缶についても同様にＦＧ−５０が用いられてきた。
【０００５】
このＦＧ−５０フィルターが無菌動物飼育に用いられるようになったのは、無菌スチールタンクのフィルターとして、ニクロム線の熱をグラスウールで均等にするため、ＦＧ−５０をニクロム線と共に巻き付け使用していた時、停電が生じても無菌が維持されたことによるものである。以後、ビニールアイソレータはフィルター濾材としてＦＧ−５０を使い続けている。粉塵効率（集塵効率）に基づいて選定されたものでない。
【０００６】
その後、高性能フィルター（ＨＥＰＡフィルターともいう）が開発され、粉塵（クリーンルーム等）を対象とした多くの研究が成されている。これはクリーンルーム用フィルタとして用いられ、高い性能が要求される半導体、液晶部品、医薬品、食品の製造等に利用されている。また空気清浄機の中には、このフィルタを使ったものがある。家庭用掃除機でも、ハウスダストによるアレルギーを防止する観点からこのフィルタを採用したものがある。しかしながら、これほど多様な用途に転用されているにもかかわらず、無菌動物業界ではそうした高性能フィルターが検討されることはなく、実績のあるＦＧ−５０が使い続けられている。ＨＥＰＡフィルターは傷つきやすく、そのままでの取り扱いが困難であるため、一般的には、保護構造に組込まれた状態、例えばカートリッジの形で提供される。
【０００７】
通常のアイソレータの１０倍容積の大型アイソレータが開発された際には高性能フィルターの使用が試みられた。しかしながら高性能フィルターは、室内用の折り畳み加工された製品としてしか入手できず、濾材そのものの圧力損失が高いと予想され、また、傷つきやすく、１箇所破損するとフィルター全体が使えなくなる等、取り扱いの面で問題があり、通常の小型アイソレータに使えなかった。
【０００８】
ＦＧ−５０の集塵効率はそれほど高くないことからフィルター研究者の中には、その性能を疑問視する者もあった。しかしながらＦＧ−５０を４重にして用いると実務上は無菌が実現できウイルスや細菌は検出されないため、これが使用され続けてきた経緯がある。
【０００９】
改良されたビニールアイソレータ用のフィルターが求められている。またＦＧ−５０フィルターは比較的高コストであり、より安価なビニールアイソレータ用のフィルターが求められている。同様のことが、無菌動物飼育装置用の滅菌缶及び輸送缶についてもあてはまる。
【００１０】
従来の上下面がブリキ製の輸送缶（いわゆる紙缶）は、外から中身が見えないという問題があった。特に無菌動物の輸送に関し、検閲の際に中身を確認することが必要である一方で、上下面を開いてしまうと無菌環境が維持できないという問題があった。
【発明の概要】
【発明が解決しようとする課題】
【００１１】
本発明は、上記の問題を解決する無菌動物飼育装置用のフィルター、滅菌缶及び輸送缶を提供することを課題とする。
【課題を解決するための手段】
【００１２】
ビニールアイソレータの開発と国産化に当たって本発明者らは各種素材や部品を検討したが、唯一同等品が無く、現状では輸入品が使われ続けている。また高性能フィルターは、室内用の折り畳み加工された製品としてしか一般に入手できない。
【００１３】
そこで本発明者らは今回、特別設計された高性能フィルターの濾材を入手することに成功した。これと、ＦＧ−５０（４重）との性能試験を行ったところ、ＦＧ−５０に比べ、ＨＥＰＡ濾材は換気量が少し減少するものの、集塵効率が飛躍的に向上することが判った。これにより本発明を完成させた。さらに本発明者らは滅菌缶及び輸送缶についても特別設計された高性能フィルターの濾材を用い、これと、ＦＧ−５０との性能試験を行ったところ、集塵効率が飛躍的に向上することが判った。これにより本発明を完成させた。さらに本発明者らは輸送缶の上下面のいずれか一方又は両方をポリカーボネート材料とすることにより外部から中身を確認することのできる輸送缶を開発し、また、これをＨＥＰＡと組み合わせたものも開発した。すなわち本発明は以下の実施形態を含む。
【００１４】
[１]  保護剤により両面が保護された平面状のＨＥＰＡフィルターを備えた、無菌動物飼育装置用のフィルター。
[２]  円筒状の保護フレームにより保護された円柱状ＨＥＰＡフィルターを備えた、無菌動物飼育装置用のフィルター。 
[３]  １または２に記載のフィルターを備えた、無菌動物飼育装置。
[４]  ＨＥＰＡフィルターを備えた、無菌動物飼育装置用の滅菌缶。
[５]  上下面の少なくとも一方が、透明なポリカーボネート製であり、側面にフィルターを備えた、無菌動物飼育装置用の輸送缶。
[６]  フィルターがＨＥＰＡフィルターである、５に記載の輸送缶。
[７]  フィルターがＦＧ−５０フィルターである、５に記載の輸送缶。
[８]  ３に記載の装置、並びに、４に記載の滅菌缶及び／又は５、６若しくは７に記載の輸送缶を備えた、無菌動物飼育システム。
[９]  １若しくは２に記載のフィルター、３に記載の装置、４に記載の滅菌缶、５、６若しくは７に記載の輸送缶、又は８に記載のシステムを用いた、無菌動物飼育方法。
【００１５】
本明細書は本願の優先権の基礎となる日本国特許出願番号2016-063934号の開示内容を包含する。
【発明の効果】
【００１６】
本発明のフィルターを用いることにより、高い集塵効率で換気をすることができる。本発明のフィルター及び滅菌缶は、無菌動物飼育装置に用いることができる。本発明の輸送缶は、中身の動物を外部から確認することができるとともに、無菌飼育された動物の輸送に用いることができる。
【図面の簡単な説明】
【００１７】
【図１】本発明の平面状フィルターの図である。
【図２】本発明の円柱状フィルターの図である。
【図３】滅菌缶の部品の図である。１は本体（胴部）である。２はフィルター抑えアミである。３は脚付きバンドである。４は同部締め付けバンドである。５は底部フィルター抑えリングである。６は引き出しアミである。７は付属ビスである。
【図４】滅菌缶本体の図である。
【図５】滅菌缶の完成図である。
【図６】フィルターの巻き付けの図である。
【図７】ポリテープでのフィルターの固定の図である。
【図８】ポリテープでのA・B部の密着の図である。
【図９】保護アミの取り付けの図である。
【図１０】リングの取り付けの図である。
【図１１】底部の組み立ての図である。
【図１２】フィルターの切り取りの図である。
【図１３】輸送缶の断面図である。
【図１４】輸送缶の本体（フィルター取り付け前）の斜視図である。２は上又は下の紙缶部、３は金網部である。
【発明を実施するための形態】
【００１８】
ある実施形態において本発明は無菌動物飼育装置用のフィルターを提供する。本発明のフィルターは、保護剤で両面が保護された平面状のＨＥＰＡフィルター、又は、円筒状の保護フレームにより保護された円柱状ＨＥＰＡフィルターであり得る。ここで、平面状のフィルターについて「両面」とは、送風風洞側の面及びアイソレータ給気口側の面の両方のことをいう。
【００１９】
ＨＥＰＡ(High Efficiency Particulate Arrestance)フィルターとは、高効率で粒子を捕捉できるフィルターであり、JIS Z 8122規格によって、「定格風量で粒径が0.3μmの粒子に対して99.97％以上の粒子捕集率をもち、かつ初期圧力損失が245Pa以下の性能」を有するエアフィルタと規定されている。すなわち、本発明のフィルターはこの規格に適合するものである。本発明のＨＥＰＡフィルターとしては、捕集効率が、定格風量で0.3μmの粒子に対し、９９．９７％以上、９９．９８％以上、例えば９９．９９％以上であり、かつ初期圧力損失が245Pa以下、200Pa以下、150Pa以下、100Pa以下、50Pa以下、例えば45Pa以下のものを使用することができる。処理風量は0.140〜0.150 m3/分、例えば0.147 m3/分にて性能評価することができる。ＦＧ−５０はグラス繊維を有する中性フィルターであり、その粒子捕集率は定格風量で粒子が0.5μmの粒子に対して95%以上である。ある実施形態においてＦＧ−５０フィルターというとき、これは定格風量で粒子が0.5μmの粒子に対して95%以上の粒子捕集率を有するグラス繊維を有する中性フィルターと同義とする（またある実施形態において該中性フィルターに初期圧力損失がある場合、それはアメリカンエアーフィルター社製FG-50のそれと同じとする）。
【００２０】
ある実施形態において、本発明のフィルターの濾材部分の形状は平面とすることができる。平面の形状は円形であってもよく多角形であってもよい。好ましくは平面フィルターは円形である。本発明のフィルターが平面状である実施形態において、ＨＥＰＡフィルター部分は、その両面を保護剤により保護することができる。保護剤はプレフィルターと呼ぶこともある。プレフィルターの濾材はガラスマット、ガラス繊維、グラスウール、ロックウール等であり得る。またＨＥＰＡフィルターの濾材はグラスペーパーであり得る。
【００２１】
ある実施形態において、本発明のフィルターの濾材部分の形状は、円柱状とすることができる。本発明のフィルターが円柱状である実施形態において、フィルターの濾材部分は外部側面を円筒状の保護フレームにより保護することができる。ＨＥＰＡフィルターの濾材はグラスペーパーであり得る。保護フレームはアルミ製、プラスチック製、ステンレス製、樹脂製等とすることができる。保護フレームとＨＥＰＡフィルターとは、接着剤により接着されうる。接着剤は各種樹脂、例えばウレタン系樹脂等を用いることができる。円柱状フィルターは接続のためのパッキンを有しうる。パッキンはシリコーンガスケットでありうる。
【００２２】
本発明の円柱状フィルターとしては、保護フレームによりＨＥＰＡフィルターが保護された状態で評価したときの捕集効率が、定格風量で0.3μmの粒子に対し、９９．９７％以上、９９．９８％以上、例えば９９．９９％以上であり、かつ初期圧力損失が245Pa以下、200Pa以下、150Pa以下、100Pa以下、50Pa以下、例えば45Pa以下のものを使用することができる。処理風量は0.140〜0.150 m3/分、例えば0.147 m3/分にて性能評価することができる。
【００２３】
フィルターの大きさや寸法は、通常の無菌飼育装置に使用可能なものであれば、特に限定されない。平面状フィルターは、円盤フィルターとして組み立てることができ、または四角型フィルター等として組み立ててもよい。複数のフィルターを直列または並列に用いることもできる。
【００２４】
フィルターの性能評価は、定格風量での0.3μmの粒子の除去率、及び圧力損失を測定することにより行うことができる。送風は通常のアイソレータブロワーにより行うことができる。便宜上、フィルターの送風風洞側をフィルター１次側と呼び、アイソレータ給気口側をフィルター２次側と呼ぶ。集塵効率は、フィルター１次側及び２次側の粉塵数を計測して評価する。
【００２５】
本発明のフィルターは、ビニールアイソレータに給気される空気をフィルタリングするために用いることができる。ビニールアイソレータは通常のものでも小型のものでもよい。
【００２６】
ある実施形態において本発明は無菌動物飼育装置用の滅菌缶を提供する。該滅菌缶はオートクレーブ滅菌が可能な材質、例えばステンレスで製造されている。該滅菌缶の外側の面のうち、少なくとも１つの面は、滅菌缶を無菌飼育装置に取り付けるための開閉可能な機構を備えている。滅菌缶を無菌飼育装置に取り付けると、餌や水等その内容物を飼育装置内に移したり、飼育装置内の汚物や廃棄物を滅菌缶に移すことができる。本発明の滅菌缶は、保護剤で保護されたＨＥＰＡフィルターを備えている。本発明の滅菌缶は無菌飼育装置に取り付け可能であればどのような形状でもよく、例えば円柱、四角柱、多角柱、斜角柱、斜円柱等の形状であり得る。滅菌缶の外側の面のうち、無菌飼育装置に取り付けるための面以外の面の1以上は、ＨＥＰＡフィルターを有する。
【００２７】
ある実施形態において本発明は無菌動物飼育装置用の輸送缶を提供する。該輸送缶はオートクレーブ滅菌が可能な材質、例えばステンレスで製造されている。該輸送缶の外側の面のうち、少なくとも１つの面は、輸送缶を無菌飼育装置に取り付けるための開閉可能な機構を備えている。開閉可能な機構はフタであり得る。輸送缶を無菌飼育装置に取り付けると、飼育装置内の動物を輸送缶に移したり、輸送缶内の飼育動物を（別の）飼育装置に移すことができる。本発明の輸送缶は、保護剤で保護されたフィルターを備えている。フィルターはＨＥＰＡフィルター又はＦＧ−５０フィルターでありうる。保護剤は布材でもよく、又は、ガラスマット、ガラス繊維、グラスウール、ロックウール等のプレフィルターでもよい。本発明の輸送缶は、無菌飼育装置に取り付け可能であればどのような形状でもよく、例えば円柱、円筒、四角柱、四角筒、多角柱、多角筒、斜角柱、斜角筒、斜円柱、斜円筒等の形状であり得る。ある実施形態において、輸送缶の形状は円柱型である。輸送缶は1以上の飼育動物を入れることのできる程度の大きさや寸法を有する。輸送缶の外側の面のうち、無菌飼育装置に取り付けるための面以外の面の1以上は、保護剤で保護されたフィルターを備えている。フィルターはＨＥＰＡフィルター又はＦＧ−５０フィルターでありうる。
【００２８】
ある実施形態において、本発明の輸送缶が円柱型である場合において、上下面の少なくとも一方はポリカーボネート製、好ましくは透明なポリカーボネート製である。ある実施形態においてこのポリカーボネートは、表面に凹凸のない平面型で一枚型のものである。該上下面の少なくとも一方は、動物を無菌動物飼育装置に入れるために、輸送缶本体から取り外し可能である。
【００２９】
ある実施形態において、本発明の輸送缶は円柱状であり、次の構成を有する。すなわち、輸送缶本体の上下面の一方又は両方にはポリカーボネート製のフタ１をしてもよく、該一方又は両方のフタ部は取り外し可能である。側面はフィルター４を有し、該フィルターは保護剤５で保護されている。保護剤は布材またはプレフィルターでもよい。フィルター部分の上下は紙材でありうる（紙缶部２）。フィルター部分の上の紙材と、下の紙材とは、フィルターの内側を保護する部材３により相互に連結されている。フィルターの内側を保護する部材３は、金網やパンチングメタルであり得る。該金網はステンレス製であり得る。ある実施形態において該金網はアルミ製ではない。フィルター４は、ＨＥＰＡフィルター又はＦＧ−５０フィルターでありうる。フィルター４を保護するために保護剤５を取り付けた後、該保護剤は、糊又は密着テープ等の固定手段６により密着させ固定することができる。例えば図１３及び図１４を参照のこと。
【００３０】
滅菌缶は例えば次の方法により無菌動物飼育装置に取り付けることができる。(i)ビニールアイソレータの外キャップを外す。(ii)ステリールロック及び連結スリーブを消毒する。（iii）ステリールロックに連結スリーブを取り付け、ビニールテープで固定する（密封）。（iv）連結スリーブの他方と滅菌缶のルミラーフィルム部分を消毒する。（v）連結スリーブと滅菌缶を接続して、ビニールテープで固定する（密封）。消毒は、例えばエクスポアー若しくは過酢酸を噴霧することにより行うことができる。
【００３１】
輸送缶は例えば次の方法により無菌動物飼育装置に取り付けることができる。(1)輸送缶及びスリーブを消毒する。(2)消毒済み輸送缶にスリーブを取り付け、ビニールテープで密封する。(3)アイソレータの外キャップを外す。（4）ステリールロックを消毒する。(5)輸送缶に取り付けたスリーブの内外を消毒する。（6）消毒済みスリーブの開放側をステリールロックに取り付けビニールテープで密封する。（7）輸送缶をステリールロック側に静かに押し込み、スリーブ内の空気を抜く。（8）スリーブの噴霧口を経由してスリーブ内を消毒する。消毒はスプレーガンのような手段により行うことができる。消毒はスリーブが円筒状になるまで行う。（9）スプレーガンを取り外し、輸送缶内を静かにステリールロック側に押し込み、スリーブ内の消毒剤を抜く。（10）前記（8）を繰り返し、ゴム栓をして数時間放置する。（11）スリーブのへこみがないことを確認し、ビニールアイソレータ内のキャップを取り外す。（12）輸送缶を、ステリールロックを通してアイソレータ内まで押し込む。（13）輸送缶を密閉しているキャップ周りのスリーブを裏返し輸送缶のキャップを露出する。（14）輸送缶のキャップを固定しているテープを巻き取り、その後輸送缶のキャップを外す。（15）輸送缶から装置内に動物を移すか、または装置内の動物を輸送缶に移す。その後、ステリールロックに内キャップを取付けゴムバンドで固定する。（16）スリーブのステリールロック側テープを外し、輸送缶を取り外す。（17）ステリールロックと外キャップを消毒し、ステリールロックに外キャップを取り付け、ビニールテープで密封する。（18）外キャップをステリールロック内に押し込み、ステリールロック内の空気を抜き、消毒剤を噴霧する。（19）再度内キャップをステリールロック内に押し込み、ステリールロック内の空気を抜き消毒剤を外キャップが膨らむ程度に噴霧しゴム栓により密封する。（20）スプレーガンなどの手段で消毒剤を噴霧後、ゴム栓をして内キャップおよび外キャップが膨らんだ状態で数時間放置する。
【００３２】
ある実施形態において本発明は、無菌動物飼育装置用、並びに滅菌缶及び／又は輸送缶を有する無菌動物飼育システムを提供する。またある実施形態において本発明は、本発明のフィルター、無菌動物飼育装置、滅菌缶、輸送缶又はシステムを用いた、無菌動物飼育方法を提供する。
【実施例】
【００３３】
フィルターの濾材部分はニッタ株式会社から入手した。仕様の詳細は図１及び図２に記載されている。
【００３４】
円盤フィルターは以下の手順で組み立てた。
１．円盤フィルター用濾材を用意する。
２．円盤フィルター交換の準備をする。そのために円盤フィルター容器、フィルター濾材及びフィルターケージングを用意する。
３．フィルターケージングの一方に濾材を乗せる。その際、濾材はフィルターケージングの中央に重ねる。濾材として保護されたフィルターを用いる場合は、既に保護剤により保護されたフィルターをこの段階の濾材として用いる。
４．濾材を重ねたフィルターケージングに、他方のフィルターケージングを重ねる。
５．円盤フィルター締め付けリングを取り付ける。
６．締め付けリングのビスは、工具を用いてしっかりと締め付ける。
【００３５】
なおフィルター濾材を強く押したり、曲げるとＨＥＰＡフィルターは破損するため、取り扱いには注意する。
【００３６】
[実施例１]
無菌動物飼育装置用のフィルター
濾材、ＦＧ−５０（４重）、ＨＥＰＡ濾材、新ＨＥＰＡ、円筒ＨＥＰＡを、給気円盤フィルターに組み込み、排気はＦＧ−５０（４重）を排気円盤フィルターに組み込んだ。なお、ＦＧ−５０（４重）は従来から使用されているフィルター濾材である。表中のＨＥＰＡ濾材は、保護剤を有しないＨＥＰＡフィルターである。表中の新ＨＥＰＡとは、両面を保護剤で保護した平面状のＨＥＰＡフィルターである。また円筒ＨＥＰＡとは、円筒状のフレームで保護された円柱状のＨＥＰＡフィルターである。
【００３７】
送風はアイソレ一夕ブロワーを用い２５Ｖ、４０Ｖ、６０Ｖ、１００Ｖ、１３０Ｖの５電圧条件で送風した。送風風洞（フルター１次側）の風速、温度、湿度、圧力並びにアイソレータ給気口（フィルター２次側）の粉塵数を１分毎１１回連続測定した。測定は電圧毎に３回行い、その平均値を比較した。結果を以下の表１に示す。
【００３８】
【表１】
0006583223.tif 000002
【００３９】
その結果、２５Ｖ送風は風量が少なく成績から省いた。４０Ｖ以上の４条件の平均をＦＧ−５０と比較すると、給気風速はＨＥＰＡ濾材８４％、新ＨＥＰＡ８１％、円筒ＨＥＰＡ１１６％であった。風洞圧力はＨＥＰＡ濾材１００％、新ＨＥＰＡ１０１％、円筒ＨＥＰＡ９９％であった。０．３μ数はＨＥＰＡ濾材０．４％、新ＨＥＰＡ０．３％、円筒ＨＥＰＡ０．６％であった。
【００４０】
以上、ＦＧ−５０に比べ、ＨＥＰＡ濾材は換気量が少し減少するものの、集塵効率が飛躍的に向上することが判った。取扱いに配慮し、保護剤でＨＥＰＡフィルターを保護した新ＨＥＰＡでは、保護されていないＨＥＰＡ濾材と同様の成績が得られた。また、ＨＥＰＡ濾材を円柱状に織り込み円筒状の保護フレームで保護する加工を施したフィルター（円筒ＨＥＰＡ）では換気量は向上し、集塵効率も向上した。
また本発明のフィルターは予想外に圧力損失が低かった。
【００４１】
[実施例２]
無菌動物飼育装置用の滅菌缶
無菌動物飼育装置用の滅菌缶は以下の手順で組み立てた。寸法等は一例である。
滅菌缶の部品（一例を図３に示す。）
１  本体（胴部）  開口部：Φ315 × 170 mm (ステンレス 0.7 mm)
底部：Φ315 × 170 mm (ステンレス 0.7 mm)
胴部：Φ315 × 360 mm (ステンレス 10 mm目メッシュ・線径1.5mm)
２  フィルター抑えアミ  ステンレス製(10mm目メッシュ・線径1.5mm)450×1000 mm
３  脚付きバンド              ステンレス製（巾30mm×0.7mm）
４  同部締め付けバンド        ステンレス製（巾30mm×0.7mm）
５  底部フィルター抑えリング  ステンレス製（巾30mm×0.7mm）10 mm目メッシュ付ビス穴１２箇所
６  引き出しアミ              ステンレス製：213mm×583mm×1.3t（Φ6mm穴加工）
７  付属ビス                  付属ビス：バンド用；M6×70mm（蝶ナット付）
底部フィルター抑えリング用：M6蝶ナット
【００４２】
滅菌缶の組み立て
滅菌缶の胴部を用意する。例えば図６のように、アメリカンエアーフィルターＦＧ−５０（4,000 mm×420 mm）を滅菌缶の胴部に約４周巻き、４重にする。またはＦＧ−５０の４重巻きの代わりに、新ＨＥＰＡフィルター（ＨＥＰＡ濾材をエミレントで挟んだフィルター）を1重で巻く。フィルターが破損しないよう静かにゆっくり巻く。
滅菌缶の長手方向から垂直な方向から見て、フィルターの中央部をポリテープで巻いて固定する（図７参照）。次いで両端をポリテープで滅菌缶に密着させる（図８参照）。両端の固定の際には、ポリテープで充分に密着を行う（不十分だと感染の可能性がある）。
フィルターの末端部にＳＵＳ板（Steel Special Use Stainless）を1枚乗せ、そこから網を巻く（図９参照）。アミは滅菌缶の周囲にほぼ1周巻く。滅菌缶に巻いた保護網の両端をSUS板で挟み、リング（バンド）で固定する（図１０参照）。滅菌缶底部をフィルターで塞ぐ。その上に保護網を乗せナットで固定する（図１１参照）。保護網の端からはみ出た余分なフィルターを切り取る（図１２参照）。切り取りは滅菌缶本体より３〜５mm程度、フィルターを残すように行う。各図は組み立ての説明のための例に過ぎず、本発明は示されている構成に限定されない。
【００４３】
フィルター性能は、缶内が陰圧になるよう、開口部に送風機を排出方向に取付て測定を行った。送風は、送風機電圧４０V、６０V、８０V、１００V、１２０Vにて行った。排気風洞内の風速、温度、湿度、輸送缶内圧力、0.1cf中の0.3μm粒子数を１分毎１１回の連続測定した。測定は電圧毎に３回行い、その平均値を比較した。結果を以下の表２に示す。
【００４４】
【表２】
0006583223.tif 000003
【００４５】
その結果、表２に示す滅菌缶フィルターについて、新ＨＥＰＡフィルターを有する滅菌缶は、風量から計算される隙間面積がＦＧ−５０を有する滅菌缶のそれと比較して７９．６％、缶内圧力は１１３．２％、缶内の0.3μm粒子数は、０．２６％と粉塵の侵入予防効率は著しく向上した。すなわち、ＦＧ−５０に比べ、ＨＥＰＡフィルターを有する滅菌缶は、集塵効率が飛躍的に向上した。
【００４６】
[実施例３]
無菌動物飼育装置用の輸送缶
無菌動物飼育装置用の輸送缶は以下の手順で組み立てた。
筒状の金属網で固定された上下２つの缶部を有する輸送缶本体を用意する。上下２つの缶部の間の部分に、アメリカンエアーフィルターＦＧ−５０を胴部に約２周巻き、２重にする。またはＦＧ−５０の２重巻きの代わりに、新ＨＥＰＡフィルター（ＨＥＰＡ濾材をエミレントで挟んだフィルター）を１重で巻く。フィルターが破損しないよう静かにゆっくり巻く。フィルターの外側は布材で保護する。フィルターの内側は、金属網で保護されている。巻き付けた布材をポリテープ等で充分に密着させながら固定する。
【００４７】
フィルター性能は、缶内が陰圧になるよう、開口部に送風機を排出方向に取付て測定を行った。送風は、送風機電圧４０Ｖ、６０Ｖ、８０Ｖ、１００Ｖ、１２０Ｖにて行った。排気風洞内の風速、温度、湿度、輸送缶内圧力、0.1cf中の0.3μm粒子数を１分毎１１回の連続測定した。測定は電圧毎に３回行い、その平均値を比較した。結果を以下の表３に示す。
【００４８】
【表３】
0006583223.tif 000004
【００４９】
その結果、表３に示す輸送缶フィルターについて、新ＨＥＰＡを有する輸送缶は、風量から計算される隙間面積がＦＧ−５０を有する輸送缶のそれと比較して８６．３％、缶内圧力は１０２．４％、缶内の0.3μm粒子数は、０．００％と粉塵の侵入予防効率は著しく向上した。すなわち、ＦＧ−５０に比べ、ＨＥＰＡフィルターを有する輸送缶は、集塵効率が飛躍的に向上した。
【産業上の利用可能性】
【００５０】
本発明のフィルター濾材は無菌動物飼育装置に用いることができる。本発明の滅菌缶は、無菌動物飼育に用いることができる。本発明の輸送缶は、無菌飼育された動物の輸送に用いることができる。
【符号の説明】
【００５１】
１  フタ
２  紙缶部
３  フィルターの内側を保護する部材
４  フィルター
５  保護剤
６  固定手段
【図１】
0006583223.tif 000005
【図２】
0006583223.tif 000006
【図３】
0006583223.tif 000007
【図４】
0006583223.tif 000008
【図５】
0006583223.tif 000009
【図６】
0006583223.tif 000010
【図７】
0006583223.tif 000011
【図８】
0006583223.tif 000012
【図９】
0006583223.tif 000013
【図１０】
0006583223.tif 000014
【図１１】
0006583223.tif 000015
【図１２】
0006583223.tif 000016
【図１３】
0006583223.tif 000017
【図１４】
0006583223.tif 000018